(57)【要約】【課題】スペースを要さずに、分割ステータコアを合理的にハウジングに圧入できるステータアッセンブリの圧入構造を提供する。【解決手段】ステータアッセンブリ５を、圧入治具１を用いてハウジングに圧入する。ステータアッセンブリ５は略円形のバスバー９と、各々が外周にコイル７を巻き回すとともに、バスバー９上に並んでバスバー９に接続された複数の分割ステータコア６とを備える。圧入治具１はバスバー９の後方から分割ステータコア６を押圧することでステータアッセンブリ５をハウジングに圧入する。そのために、圧入治具１はラジアル方向に関してバスバー９の両側に分割ステータコアの支持部３と８を備える。【選択図】図５
2015192542.tif 000002
【特許請求の範囲】
【請求項１】
ステータアッセンブリを、圧入治具を用いてハウジングに圧入するステータアッセンブリの圧入構造において、前記ステータアッセンブリは円形のバスバーと、各々が外周にコイルを巻き回すとともに、バスバー上に並んでバスバーに接続された複数の分割ステータコアとを備え、圧入治具は前記バスバーの後方から前記分割ステータコアを押圧することで前記分割ステータコアを前記ハウジングに圧入するとともに、ラジアル方向に関して前記バスバーの両側に前記分割ステータコアの支持部を備えることを特徴とする、ステータアッセンブリの圧入構造。
【請求項２】
ラジアル方向に関して前記バスバーの外側に位置する外周側の支持部は１個の分割ステータコアを２か所で支持するように構成される、請求項１に記載のステータアッセンブリの圧入構造。
【請求項３】
前記外周側の支持部は、隣接する２個の分割ステータコアをともに支持するように構成される、請求項２に記載のステータアッセンブリの圧入構造。
【請求項４】
前記圧入治具は前記バスバー上に並んで配置された分割ステータコアの内周面に接する内径位置決め部材を備え、内径位置決め部材は分割ステータコアの内周面に形成される軸方向の溝に嵌合する軸方向の突起を備えることを特徴とする、請求項１から３のいずれかに記載のステータアッセンブリの圧入構造。
【発明の詳細な説明】
【技術分野】
【０００１】
この発明は、ステータアッセンブリを、治具を用いてモータやジェネレータのハウジングに圧入する圧入構造に関する。
【背景技術】
【０００２】
モータやジェネレータのステータアッセンブリはコイルを巻き回した複数のステータコアを備えている。特許文献１と特許文献２は、ステータコアを分割式とし、治具を用いてモータやジェネレータのハウジングに圧入することでステータアッセンブリとして一体化することを提案している。ステータコアを分割することで、ステータコアの形状が単純化されるため、ステータコアの成形時の歩留まりを向上させる上で好ましい。また、ステータコアへのコイルの巻線作業の制約も少なくなるので、コイルの線積率も向上する。結果として、モータやジェネレータの製造コストの低減や軽量化が可能となる。
【先行技術文献】
【特許文献】
【０００３】
【特許文献１】特開平８−２２８４６５号公報
【特許文献２】特開平１−２９５６５３号公報
【発明の概要】
【発明が解決しようとする課題】
【０００４】
分割したステータコアをハウジングに圧入固定することは以上のように好ましい効果を奏するが、一方では次のような問題もある。
【０００５】
ステータコイルへの電気の供給やステータコイルからの電気の取り出しのために、分割ステータコアに巻き回された各コイルは円形のバスバーにそれぞれ接続され、分割ステータコアは円筒形をなすようにバスバー上に並んだ状態でハウジングに圧入される。
【０００６】
分割ステータコアのハウジングへの圧入作業は、圧入治具がガスバーの後方から分割ステータコアを押圧することで行なわれる。この時、圧入治具がバスバーと干渉しないように、バスバーを介さずに直接分割ステータコアを押圧する必要がある。
【０００７】
しかしながら、押圧面を確保するために、結果としてステータコアの径が大きくなったり、バスバーなどのステータアッセンブリの付属品のレイアウトが影響を受けたりするなどの問題が生じる。
【０００８】
この発明は、分割ステータコアを用いたアッセンブリの圧入構造に関する上記問題点を解決すべくなされたもので、スペースを要さずに、分割ステータコアを合理的にハウジングに圧入できるステータアッセンブリの圧入構造を提供することを目的とする。
【課題を解決するための手段】
【０００９】
この発明はステータアッセンブリを、圧入治具を用いてハウジングに圧入するステータアッセンブリの圧入構造に関する。ステータアッセンブリは円形のバスバーと、各々が外周にコイルを巻き回すとともに、バスバー上に並んでバスバーに接続された複数の分割ステータコアとを備える。圧入治具はバスバーの後方から分割ステータコアを押圧することで分割ステータコアをハウジングに圧入する。そのために、圧入治具は分割ステータコアの支持部をラジアル方向に関してバスバーの両側に備えている。
【発明の効果】
【００１０】
ラジアル方向に関してバスバーの両側に備えた分割ステータコアの支持部により、分割ステータコアを押圧することで、圧入治具はバスバーと干渉することなく、バランス良く分割ステータコアに押圧力を伝達できる。その結果、ステータコアの径を大きくしたり、バスバーなどの付属品のレイアウトに影響を与えたりせずに、ステーアッセンブリのハウジングへの圧入作業を行なうことが可能となる。
【図面の簡単な説明】
【００１１】
【図１】この発明の実施形態による圧入治具の斜視図である。
【図２】分割ステータコアを装着した圧入治具の斜視図である。
【図３】圧入治具上のバスバーに装着された分割ステータコアの斜視図である。
【図４】同じく圧入治具上のバスバーに装着された分割ステータコアを別の方向から眺めた斜視図である。
【図５】圧入治具とバスバーと分割ステータコアの縦断面図である。
【図６】バスバーと分割ステータコアとの接続部と、圧入治具の分割ステータコア押圧部との位置関係を説明する圧入治具とバスバーの要部平面図である。
【図７】分割ステータコアを圧入したハウジングの横断面図である。
【図８】図７のＡ部の拡大図である。
【発明を実施するための形態】
【００１２】
図１を参照すると、圧入治具１は略円筒形状に形成され、外周支持部３と内径ロケート部４とを備える。また、外周支持部３と内径ロケート部４との間に図３−６に示すバスバー９を収容する環状の収容部２を有する。
【００１３】
図２を参照すると、圧入治具１にはステータアッセンブリ５がセットされる。ステータアッセンブリ５は複数の分割ステータコア６と各分割ステータコア６に巻き回されたコイル７と、前述のバスバー９と、を備える。
【００１４】
図３と４を参照すると、分割ステータコア６は本体部６ａと、本体部６ａのラジアル方向内側の外周に設けられた巻き枠６ｂとを備える。巻き枠６ｂには予めコイル７が巻線される。巻き枠６ｂはコイル７の巻線を位置決めするためにラジアル方に関して外側と内側にフランジ１０を備える。
【００１５】
バスバー９は環状の部材であり、各コイル７に電気的に接続される。
【００１６】
図５を参照すると、分割ステータコア６は収容部２に収容されたバスバー９をラジアル方向に跨ぐようにして圧入治具１に支持される。つまり、圧入治具１はラジアル方向に関して各分割ステータコア６の本体部６ａの基端と先端とをともに支持する。そのために、圧入治具１には本体部６ａの基端の周方向両端を支持する外周支持部３と、巻き枠６ｂを貫通した本体部６ａの先端を支持する内周支持部８とが形成される。外周支持部３は圧入治具１の収容部２の外側に形成された壁面１ａから爪状に上向きに突出する。内周支持部８は収容部２の内側に形成された上向きの壁面１ｂに形成される。
【００１７】
外周支持部３は本体部６ａの基端の周方向両端に相当する２か所に形成される。外周支持部３は圧入治具１の収容部２の外側に形成された壁面１ａから爪状に上向きに突出し、隣接する２基の分割ステータコア６の端部を一体に支持する。つまり、１基の分割ステータコア６の周方向の両端がそれぞれ外周支持部３に支持される。一方、１個の外周支持部３が２基の分割ステータコア６を支持するので、外周支持部３の数は本体部６ａの数に等しい。
【００１８】
内周支持部８は巻き枠６ｂを貫通した本体部６ａの先端の周方向のほぼ全長に渡って本体部６ａを支持する。
【００１９】
バスバー９を収容する収容部２は壁面１ａと１ｂの間に形成される。なお、収容部２には図に示すように巻き枠６ｂの下部も収容される。
【００２０】
図６を参照すると、バスバー９は１個の分割ステータコア６当たり２か所の接続部１１を有する。各分割ステータコア６のコイル７はこれらの接続部１１に電気的に接続される。
【００２１】
図７を参照すると、バスバー９には端子１３が接続される。端子１３はステータアッセンブリ５がハウジングに組み込まれた後に、各コイル７への電力の供給または各コイル７からの電力の取り出しを行なう端子である。
【００２２】
図８を参照すると、圧入治具１の内径ロケート部４の所定の角度位置にはラジアル方向外向きの突起１４が形成される。圧入治具１に分割ステータコア６をセットする際は、隣接する分割ステータコア６の間隙Ｗのいずれかに突起１４を係合させる。
【００２３】
以上の構造のもとで、圧入治具１にバスバー９と、コイル７を巻回した所定数の分割ステータコア６とをセットし、モータまたはジェネレータのハウジングに圧入する。
【００２４】
図５を再び参照すると、圧入治具１は軸方向、言い換えれば図の上向きの推力を各分割ステータコア６に及ぼすことで、ステータアッセンブリ５をハウジングに圧入する。
【００２５】
この場合に、各分割ステータコア６にはラジアル方向両側に配置された外周支持部３と内周支持部８を介して本体部６ａに推力が伝達される。外周支持部３と内周支持部８の間の収容部２に収容されたバスバー９と巻き枠６ｂの下部には推力やその反力が作用しないので、これらの部材が推力によって損傷する恐れはない。
【００２６】
一方、推力が外周支持部３と内周支持部８を介して本体部６ａに伝達されることで、各分割ステータコア６に均等に推力が伝達される。その結果、ステータアッセンブリ５をバランス良くハウジングに圧入することができる。
【００２７】
この圧入構造によれば、外周支持部３は分割ステータコア６の周方向の両端で分割ステータコア６を支持する一方、内周支持部８は分割ステータコア６の本体部６ａの内周部を周方向のほぼ全長に渡って支持する。そのため、各分割ステータコア６への推力の伝達を均一に行なうことができる。
【００２８】
また、各外周支持部３は隣接する２基の分割ステータコア６をともに支持するため、隣接する分割ステータコア６の変位が均一化され、ステータアッセンブリ５の完成時において、隣接する分割ステータコア６の間に軸方向の段差が生じることがない。したがって、モータまたはジェネレータとして稼働する際の各コイル７の性能が均一化される。
【００２９】
この圧入構造のもとでは、外周支持部３と内周支持部８の間の収容部２にバスバー９を収容するので、バスバー９の収容のために分割ステータコア６のラジアル方向の寸法を大きくする必要がない。したがって、圧入治具１の押圧面を確保するために、ステータアッセンブリ５の径が大きくなったり、付属品のレイアウトが影響を被ったりすることもなく、モータやジェネレータをコンパクトに構成することが可能となる。
【００３０】
さらに、内径ロケート部４に突起１４を設け、この突起１４を隣接する分割ステータコア６のいずれかの間隙Ｗに係合させることで、圧入作業中のステータアッセンブリ５の回り止めを図ることができる。
【００３１】
以上のように、この実施形態による圧入構造により、ステータアッセンブリ５を大型化することなく、ステータアッセンブリ５をバランス良くハウジングに圧入することが可能となる。
【００３２】
以上のとおり、この発明を特定の実施形態を通じて説明して来たが、この発明は上記の各実施形態に限定されるものではない。当業者にとっては、特許請求の範囲でこれらの実施形態にさまざまな修正あるいは変更を加えることが可能である。
【符号の説明】
【００３３】
１  圧入治具
１ａ，１ｂ  壁面
２  収容部
３  外周支持部
４  内径ロケート部
５  ステータアッセンブリ
６  分割ステータコア
６ａ  本体部
６ｂ  巻き枠
７  コイル
８  内周支持部
９  バスバー
１０  フランジ
１１  接続部
１３  端子
１４  突起
【図１】
2015192542.tif 000003
【図２】
2015192542.tif 000004
【図３】
2015192542.tif 000005
【図４】
2015192542.tif 000006
【図５】
2015192542.tif 000007
【図６】
2015192542.tif 000008
【図７】
2015192542.tif 000009
【図８】
2015192542.tif 000010